(57)【要約】【課題】電子キーの有効期限を延長する場合に、煩わしい作業を極力なくし、使い勝手を良くする。【解決手段】電子キーの有効期限の延長地点を車両が通過したときに、電子キーの有効期限を延長するように構成したので、延長地点として例えば会社や自宅を設定しておけば、車両を通勤に使用する、または、車両で帰宅するだけで、電子キーの有効期限が自動的に延長されるようになる。【選択図】図１
2008074145.tif 000002
【特許請求の範囲】
【請求項１】
車両のエンジン始動／停止に使用されるものであってキー情報を格納する電子キーと、この電子キーからのキー情報に基づいて前記電子キーが車両のキーであるか否かを判別するキー照合手段と、前記電子キーの有効期限情報を記憶する有効期限記憶手段と、前記電子キーが車両のキーであると判別されると共に、前記電子キーが有効期限内であるときのみに、エンジン始動を許容するエンジン制御手段とを備えた車両盗難防止システムにおいて、
前記電子キーの有効期限の延長地点を設定する延長地点設定手段と、
車両の現在位置を検知する位置検知手段と、
車両が前記延長地点を通過したときに前記電子キーの有効期限を延長する有効期限延長手段とを備えたことを特徴とする車両盗難防止システム。
【請求項２】
前記延長地点設定手段は、複数の延長地点を設定可能なように構成されていると共に、
前記有効期限延長手段は、車両が前記複数の延長地点をすべて通過したときに前記電子キーの有効期限を延長するように構成されていることを特徴とする請求項１記載の車両盗難防止システム。
【請求項３】
車両の所有者を認証する所有者認証手段を備え、
前記電子キーが有効期限内でない場合には、前記所有者認証手段により車両の所有者を認証したときに、前記電子キーの有効期限を延長するように構成されていることを特徴とする請求項１記載の車両盗難防止システム。
【請求項４】
前記所有者認証手段は、生体情報を取得する生体情報取得手段と、
所有者の生体情報を記憶している生体情報記憶手段と、
前記生体情報取得手段により取得された生体情報が前記生体情報記憶手段に記憶されている生体情報と一致するか否かを認識する生体情報認識手段とから構成されていることを特徴とする請求項１記載の車両盗難防止システム。
【請求項５】
前記所有者認証手段は、ユーザーＩＤ及びパスワードを入力する入力手段と、
所有者のユーザーＩＤ及びパスワードを記憶しているＩＤパスワード記憶手段と、
前記入力手段により入力されたユーザーＩＤ及びパスワードが前記ＩＤパスワード記憶手段に記憶されているユーザーＩＤ及びパスワードと一致するか否かを認識するＩＤパスワード認識手段とから構成されていることを特徴とする請求項１記載の車両盗難防止システム。
【発明の詳細な説明】
【技術分野】
【０００１】
本発明は、電子キーが有効期限内であるときのみにエンジン始動を許容するように構成された車両盗難防止システムに関する。
【背景技術】
【０００２】
車両の盗難を防止するシステムの一例として、車両のエンジン始動／停止に使用される電子キーに、有効期限を設定し、有効期限が切れたとき（有効期限内でないとき）には、エンジン始動を許容しないようにした構成が知られている（例えば特許文献１参照）。このシステムによれば、車両が盗難されても、電子キーの有効期限が切れると、エンジンを始動できなくなることから、盗難を防止するのに有効である。
【特許文献１】特願２００５−３４３４３７号公報
【発明の開示】
【発明が解決しようとする課題】
【０００３】
上記従来構成のシステムの場合、ユーザーが電子キーの有効期限を延長するに際しては、通常、ディスプレイとキーボード（タッチパネル等）を使用して、ユーザーＩＤとパスワードを入力させることにより、該ユーザーを認証した後、有効期限の延長を実行するように構成されている。しかし、有効期限を延長する際に、毎回、ユーザーＩＤとパスワードを入力する作業を行なうことは、ユーザーにとってかなり煩わしい作業であるという問題点があった。
【０００４】
そこで、本発明の目的は、電子キーの有効期限を延長する場合に、煩わしい作業を極力なくすことができ、使い勝手の良い車両盗難防止システムを提供することにある。
【課題を解決するための手段】
【０００５】
本発明の車両盗難防止システムは、車両のエンジン始動／停止に使用されるものであってキー情報を格納する電子キーと、この電子キーからのキー情報に基づいて前記電子キーが車両のキーであるか否かを判別するキー照合手段と、前記電子キーの有効期限情報を記憶する有効期限記憶手段と、前記電子キーが車両のキーであると判別されると共に、前記電子キーが有効期限内であるときのみに、エンジン始動を許容するエンジン制御手段とを備えたシステムにおいて、前記電子キーの有効期限の延長地点を設定する延長地点設定手段と、車両の現在位置を検知する位置検知手段と、車両が前記延長地点を通過したときに前記電子キーの有効期限を延長する有効期限延長手段とを備えたところに特徴を有する。
【０００６】
上記構成によれば、設定された延長地点を車両が通過したときに電子キーの有効期限を延長するように構成したので、延長地点として例えば会社や自宅を設定しておけば、車両を通勤に使用する、または、帰宅するだけで、電子キーの有効期限が自動的に延長されることになる。従って、有効期限を延長する場合に、煩わしい作業を極力なくすことができる。
【０００７】
また、上記構成の場合、前記延長地点設定手段は、複数の延長地点を設定可能なように構成されていると共に、前記有効期限延長手段は、車両が前記複数の延長地点をすべて通過したときに前記電子キーの有効期限を延長するように構成されていることが好ましい。
【０００８】
更に、車両の所有者を認証する所有者認証手段を備え、前記電子キーが有効期限内でない場合には、前記所有者認証手段により車両の所有者を認証したときに、前記電子キーの有効期限を延長するように構成されていることが良い構成である。
【０００９】
上記構成の場合、前記所有者認証手段は、生体情報を取得する生体情報取得手段と、所有者の生体情報を記憶している生体情報記憶手段と、前記生体情報取得手段により取得された生体情報が前記生体情報記憶手段に記憶されている生体情報と一致するか否かを認識する生体情報認識手段とから構成されていることがより一層好ましい。
【００１０】
また、前記所有者認証手段は、ユーザーＩＤ及びパスワードを入力する入力手段と、所有者のユーザーＩＤ及びパスワードを記憶しているＩＤパスワード記憶手段と、前記入力手段により入力されたユーザーＩＤ及びパスワードが前記ＩＤパスワード記憶手段に記憶されているユーザーＩＤ及びパスワードと一致するか否かを認識するＩＤパスワード認識手段とから構成されていることも良い構成である。
【発明を実施するための最良の形態】
【００１１】
以下、本発明の一実施例について、図面を参照しながら説明する。まず、図１は、本実施例の車両盗難防止システム１の全体構成を概略的に示すブロック図である。この図１に示すように、車両盗難防止システム１は、車両内装置２と、電子キー３とを備えて構成されている。
【００１２】
車両内装置２は、エンジン制御部４と、生体情報管理部５と、有効期限管理部６と、カーナビゲーション部７とから構成されている。エンジン制御部４は、有効期限管理部６からエンジン始動の許可信号を受けている状態で、エンジンを始動するための始動キー８からオン信号を受けると、エンジン（図示しない）を始動するように構成されている。即ち、エンジン制御部４は、有効期限管理部６からエンジン始動の許可信号を受けていないときには、始動キー８からオン信号を受けても、エンジンを始動しない構成となっている。この場合、エンジン制御部４が、エンジン制御手段を構成している。
【００１３】
生体情報管理部５は、生体情報取得部９と、生体認証データ記憶部１０と、生体認証部１１とを備えて構成されている。生体情報取得部９は、生体情報として例えば指紋を取得する場合には、指紋を撮影可能な画像撮影装置で構成されている。生体情報取得部９で取得された生体情報は、生体認証部１１へ与えられる。
【００１４】
生体認証部１１は、生体情報取得部９からの生体情報と、生体認証データ記憶部１０に記憶されている認証用の生体情報（即ち、車両の所有者の生体情報）とを比較し、一致したときには、車両の所有者であることが認証されたことを示す認証信号を有効期限管理部６へ出力するように構成されている。尚、生体認証部１１は、一致しなかったときには、車両の所有者でないことを示す非認証信号を有効期限管理部６へ出力する。上記生体認証部１１が、所有者認証手段を構成している。
【００１５】
有効期限管理部６は、有効期限延長処理部１２と、キー照合部１３と、有効期限記憶部１４と、キー認証データ記憶部１５と、送受信部１６とを備えて構成されている。有効期限延長処理部１２は、生体情報管理部５からの認証信号を受けたとき、または、カーナビゲーション部７からの延長地点通過信号（即ち、有効期限の延長地点を通過したことを示す信号）を受けたときに、有効期限を延長し、この延長した有効期限を有効期限記憶部１４内に記憶（即ち、有効期限を延長更新）させるように構成されている。上記有効期限延長処理部１２が、有効期限延長手段を構成している。
【００１６】
キー照合部１３は、有効期限記憶部１４に記憶されている有効期限のデータを読み取り、有効期限内であるか否かを判断する。また、キー照合部１３は、電子キー３から無線通信により送信されたキー情報を送受信部１６を介して受信すると共に、この受信したキーー情報をキー認証データ記憶部１５に記憶されている認証用のキー情報とを比較する。
【００１７】
そして、キー照合部１３は、有効期限内であると共に、電子キー３からのキー情報と認証用のキー情報が一致したとき（電子キー３が車両のキーであると判別されたとき）に、エンジン始動を許容する許可信号をエンジン制御部２へ出力するように構成されている。尚、キー照合部１３は、有効期限内でないとき、或いは、電子キー３から受信したキー情報と認証用のキー情報が一致しないときには、許可信号をエンジン制御部２へ出力しない（即ち、不許可信号をエンジン制御部２へ出力する）ように構成されている。この場合、キー照合部１３がキー照合手段を構成している。
【００１８】
カーナビゲーション部７は、入力部１７と、延長地点記憶部１８と、現在地検知部１９と、地点照合部２０とを備えている他に、周知構成のカーナビゲーション装置が有している構成（図示しない例えばディスプレイや地図データ入力装置や経路探索装置や経路案内装置等）を備えて構成されている。
【００１９】
入力部１７は、各種の操作スイッチや、ディスプレイの表面に設けられたタッチパネルで構成されており、ユーザーが電子キーの有効期限の延長地点、本実施例の場合、例えば２箇所の延長地点（即ち、自宅の地点と会社の地点）を入力設定する機能を有している。そして、この入力部１７により入力された２箇所の延長地点の情報は、延長地点記憶部１８内に記憶されるように構成されている。上記入力部１７が、延長地点設定手段を構成している。
【００２０】
現在地検知部１９は、ＧＰＳ受信機やジャイロセンサや距離センサ等の組み合わせで構成されており、車両の現在地（現在位置）を検知する機能を有している。この現在地検知部１９により検知された車両の現在地の情報は、地点照合部２０へ与えられる。上記現在地検知部１９が、位置検知手段を構成している。
【００２１】
地点照合部２０は、現在地検知部１９により検知された車両の現在地と、延長地点記憶部１８内に記憶されている２箇所の延長地点（自宅と会社）とを比較し、車両が２箇所の延長地点、即ち、自宅と会社を通過したか否かを判断する。そして、地点照合部２０は、車両が自宅と会社の両方を通過したことを検知したときに、その旨（即ち、２箇所の延長地点をすべて通過したこと）を示す延長地点通過信号を有効期限管理部６（有効期限延長処理部１２）へ出力するように構成されている。
【００２２】
また、電子キー３は、車両のエンジン始動／停止に使用されるものであり、制御回路２１と、送受信部２２と、記憶部２３と、スイッチ２４と、電池２５とを備えて構成されている。制御回路２１は、電子キー３全体の動作を制御するものであり、記憶部２３内に記憶されている制御プログラムに従って動作する。制御回路２１は、記憶部２３内に記憶されているキー情報（電子キーＩＤや認証コード等の情報）を、送受信部２２を介して無線通信により有効期限管理部６（キー照合部１３）へ送信するように構成されている。尚、スイッチ２４は、車両のドアのロック／ロック解除用のスイッチである。
【００２３】
次に、上記した構成の車両盗難防止システム１の動作について、図２ないし図４のフローチャートを参照して説明する。まず、図２に示すようにして、有効期限の延長地点を設定する処理を実行する。この場合、最初に、車両内装置２の生体情報管理部５によりドライバー（ユーザー）の生体情報を認証する処理を実行する。具体的には、生体情報管理部５の生体情報取得部９によりドライバーから生体情報（例えば指紋）を取得し、この取得した生体情報が、生体認証データ記憶部１０に記憶されている認証用の生体情報（即ち、車両の所有者の生体情報）と一致するか否かを判断する（ステップＳ１０）。
【００２４】
ここで、両生体情報が一致すると、即ち、ドライバーが車両の所有者であることが認証され、認証されたことを示す認証信号が有効期限管理部６とカーナビゲーション部７へ出力される。尚、両生体情報が一致しなかった場合、即ち、ドライバーが車両の所有者でないことがわかり、認証されなかったことを示す非認証信号が有効期限管理部６とカーナビゲーション部７へ出力される。そして、この非認証信号が出力された場合、有効期限の延長地点を設定する処理を終了する。
【００２５】
さて、ドライバーが車両の所有者であることが認証されたときには、ドライバーは、有効期限の延長地点を２箇所、即ち、自宅と会社を延長地点として設定する。すると、カーナビゲーション部７において、自宅の地点と会社の地点とが延長地点として延長地点記憶部１８内に記憶される（ステップＳ２０、Ｓ３０）。
【００２６】
次に、上記したように有効期限の延長地点を設定した状態で、電子キー３によりエンジンを始動する場合の制御について説明する。まず、電子キー３が有効期限内である場合について述べる。この場合、電子キー３からキー情報が有効期限管理部６に無線通信により送信されると、有効期限管理部６のキー照合部１３は、上記キー情報を受信し、キー認証データ記憶部１５に記憶されている認証用のキー情報と比較すると共に、有効期限記憶部１４に記憶されている有効期限のデータを読み取り、有効期限内であるか否かを判断する（ステップＳ４０）。
【００２７】
そして、キー照合部１３は、有効期限内であると共に、電子キー３からのキー情報と認証用のキー情報が一致したときに、エンジン始動を許容する許可信号をエンジン制御部２へ出力する（ステップＳ５０）。続いて、エンジン制御部４は、有効期限管理部６からの許可信号を受けると共に、始動キー８からオン信号を受けると、エンジンを始動する。これにより、車両の走行が可能になる。
【００２８】
ここで、電子キー３の有効期限を延長する処理について、図３に従って説明する。車両が自宅（有効期限の延長地点）に到着（停車）すると、カーナビゲーション部７において、地点照合部２０により自宅通過を示す自宅到着フラグが「１」にセットされる（ステップＳ６０）。この後、車両が会社（有効期限の延長地点）に到着（停車）すると、カーナビゲーション部７において、地点照合部２０により会社通過を示す会社到着フラグが「１」にセットされる（ステップＳ７０）。
【００２９】
すると、地点照合部２０は、自宅と会社の２つの有効期限の延長地点を通過したことを検知したので、延長地点通過信号（即ち、有効期限延長要求）を有効期限管理部６（有効期限延長処理部１２）へ出力する（ステップＳ８０）。これを受けて、有効期限延長処理部１２は、電子キー３の有効期限を延長して、有効期限記憶部１４に記憶する（ステップＳ９０）。また、有効期限延長処理部１２は、カーナビゲーション部７に対して自宅到着フラグ及び会社到着フラグを「０」にリセットする要求信号を送信する（ステップＳ１００）。続いて、カーナビゲーション部７において、上記要求信号を受信すると、地点照合部２は、自宅到着フラグ及び会社到着フラグを「０」にリセットする（ステップＳ１１０）。
【００３０】
一方、電子キー３によりエンジンを始動する制御において、電子キー３の有効期限が切れている場合（有効期限内でない場合）の制御について、図４に従って説明する。この場合、電子キー３からキー情報が有効期限管理部６に無線通信により送信されると、有効期限管理部６のキー照合部１３は、上記キー情報を受信し、この受信したキー情報と、キー認証データ記憶部１５に記憶されている認証用のキー情報とを比較すると共に、有効期限記憶部１４に記憶されている有効期限のデータを読み取り、有効期限内であるか否かを判断する（ステップＳ１２０）。
【００３１】
ここで、有効期限が切れているのであるから、キー照合部１３は、エンジン始動を許容しない不許可信号をエンジン制御部２へ出力する（ステップＳ１３０）。従って、エンジン制御部４は、有効期限管理部６から不許可信号を受けるので、エンジンを始動しない。続いて、キー照合部１３は、ドライバの生体情報の認証を要求する（ステップＳ１３０）。
【００３２】
これを受けて、生体情報管理部５によりドライバーの生体情報の認証を実行する（ステップＳ１４０）。即ち、生体情報管理部５の生体情報取得部９によりドライバーから生体情報（例えば指紋）を取得し、この取得した生体情報が、生体認証データ記憶部１０に記憶されている認証用の生体情報（即ち、車両の所有者の生体情報）と一致するか否かを判断する。
【００３３】
ここで、両生体情報が一致すると、ドライバーが車両の所有者であることが認証され、電子キー３の有効期限の延長を要求する延長要求信号が有効期限管理部６へ出力される（ステップＳ１４０）。これにより、有効期限管理部６の有効期限延長処理部１２は、電子キー３の有効期限を延長して、有効期限記憶部１４に記憶する（ステップＳ１５０）。
【００３４】
尚、両生体情報が一致しなかった場合、即ち、ドライバー（ユーザー）が車両の所有者でないことがわかった場合には、有効期限を延長することはなく、何もしないで、処理を終了する。
【００３５】
このような構成の本実施例によれば、車両が、電子キー３の有効期限の延長地点を通過したときに電子キー３の有効期限を延長するように構成したので、延長地点として例えば会社や自宅を設定しておけば、車両を通勤に使用する、または、帰宅するだけで、電子キー３の有効期限が自動的に延長されることになる。従って、電子キー３の有効期限を延長する場合に、煩わしい作業を極力なくすことができ、ユーザーの使い勝手を向上させることができる。
【００３６】
また、上記実施例の場合、２箇所の延長地点（自宅と会社）を設定可能なように構成すると共に、車両が上記２箇所の延長地点（自宅と会社）をすべて通過したときに電子キー３の有効期限を延長するように構成したので、車両の盗難防止性も十分なものとなる。
【００３７】
更に、上記実施例においては、所有者を認証する生体情報管理部５（所有者認証手段）を備え、電子キー３が有効期限内でない場合には、生体情報管理部５により車両の所有者を認証したときに、電子キー３の有効期限を延長するように構成したので、盗難防止性をより一層十分なものとし得る。
【００３８】
特に、上記実施例の場合、生体情報管理部５を、生体情報を取得する生体情報取得部９（生体情報取得手段）と、所有者の生体情報を記憶している生体認証データ記憶部１０（生体情報記憶手段）と、生体情報取得部９により取得された生体情報が生体認証データ記憶部１０に記憶されている生体情報と一致するか否かを認識する生体認証部１１（生体情報認識手段）とを備える構成としたので、所有者の認証を正確且つ厳重に実行できる。
【００３９】
尚、上記実施例においては、生体情報取得部９により生体情報として指紋を取得するように構成したが、これに限られるものではなく、手等の静脈やその他の生体情報を取得するように構成しても良い。
【００４０】
また、上記実施例では、所有者認証手段を生体認証部１１で構成したが、これに代えて、所有者認証手段を、ユーザーＩＤ及びパスワードを入力する入力手段と、所有者のユーザーＩＤ及びパスワードを記憶しているＩＤパスワード記憶手段と、前記入力手段により入力されたユーザーＩＤ及びパスワードが前記ＩＤパスワード記憶手段に記憶されているユーザーＩＤ及びパスワードと一致するか否かを認識するＩＤパスワード認識手段とから構成しても良い。
【００４１】
また、上記実施例では、電子キー３の有効期限の延長地点として、２箇所の延長地点を設定可能に構成したが、これに限られるものではなく、１箇所の延長地点（例えば自宅または会社の一方）だけを設定可能に構成しても良いし、３箇所以上の延長地点を設定可能に構成しても良い。
【００４２】
更に、上記実施例では、有効期限の情報を車両内装置２の有効期限管理部６の有効期限記憶部１４内に記憶するように構成したが、これに代えて、電子キー３の記憶部２３内に記憶するように構成しても良い。この構成の場合、有効期限を延長させる条件に達したときには、有効期限管理部６の有効期限延長処理部１２から有効期限の延長要求を送受信部１６を介して電子キー３へ送信して、電子キー３の制御回路３１により記憶部２３内の有効期限を延長するように構成すれば良い
【図面の簡単な説明】
【００４３】
【図１】本発明の一実施例を示す車両盗難防止システムのブロック図
【図２】フローチャート（その１）
【図３】フローチャート（その２）
【図４】フローチャート（その３）
【符号の説明】
【００４４】
図面中、１は車両盗難防止システム、２は車両内装置、３は電子キー、４はエンジン制御部（エンジン制御手段）、５は生体情報管理部、６は有効期限管理部、７はカーナビゲーション部、８は始動キー、９は生体情報取得部、１０は生体認証データ記憶部、１１は生体認証部（所有者認証手段）、１２は有効期限延長処理部（有効期限延長手段）、１３はキー照合部（キー照合手段）、１４は有効期限記憶部（有効期限記憶手段）、１５はキー認証データ記憶部、１６は送受信部、１７は入力部（延長地点設定手段）、１８は延長地点記憶部、１９は現在地検知部（位置検知手段）、２０は地点照合部、２１は制御回路、２３は記憶部を示す。
【図１】
2008074145.tif 000003
【図２】
2008074145.tif 000004
【図３】
2008074145.tif 000005
【図４】
2008074145.tif 000006